【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
色見本部分露出度と非色見本部分露出度の関係を利用せず色見本画像のうちの色見本部分及びその推定照度に基づきプロファイリングを実行し、それによりディジタル画像入力装置の色プロファイルを求める方法。
【請求項２】
ディジタル画像入力装置の色プロファイルを求める方法であって、
複数個の色パッチを含む色見本画像を上記入力装置で捉えるステップと、
各色パッチの装置依存色空間内座標値を調べるステップと、
調べた装置依存色空間内座標値に基づき、色パッチの中で最も明るいグレイパッチの照度を推定するステップと、
得られた推定照度に基づき各色パッチの装置非依存色空間内座標値を線形スケーリングするステップと、
その線形スケーリング済装置非依存色空間内座標値又はそれからの派生量に基づき上記入力装置の色プロファイルを求めるステップと、
求めた色プロファイルをコンピュータ用メモリに格納するステップと、
を有する方法。
【請求項３】
ディジタル画像入力装置の色プロファイルを求める方法であって、
複数個の色パッチを含む色見本画像を上記入力装置で捉えるステップと、
各色パッチの装置依存色空間内座標値を調べるステップと、
調べた装置依存色空間内座標値に基づき、色パッチの中で最も明るいグレイパッチの照度を推定するステップと、
得られた推定照度に基づき各色パッチの装置非依存色空間内座標値を線形スケーリングするステップと、
その線形スケーリング済装置非依存色空間内座標値に基づき、上記入力装置の階調曲線を表す第１のパラメタを計算するステップと、
上記線形スケーリング済装置非依存色空間内座標値に基づき、色プロファイルのうちの色度を表す第２のパラメタを計算するステップと、
上記線形スケーリング済装置非依存色空間内座標値又はそれからの派生量を個別的線形補正関数を用い色別に調整するステップと、
画像における色見本部分露出度と非色見本部分露出度の関係を利用せず、上記線形スケーリング及び色別調整を経た装置非依存色空間内座標値、上記第１のパラメタ並びに上記第２のパラメタに基づき上記入力装置の色プロファイルを求めるステップと、
求めた色プロファイルをコンピュータ用メモリに格納するステップと、
を有する方法。
【請求項４】
プログラマブルプロセッサに対する命令として、
複数個の色パッチを含む色見本画像をディジタル画像入力装置から受け取らせる命令と、
各色パッチの装置依存色空間内座標値を調べさせる命令と、
調べた装置依存色空間内座標値に基づき色パッチの中で最も明るいグレイパッチの照度を推定させる命令と、
得られた推定照度に基づき各色パッチの装置非依存色空間内座標値を線形スケーリングさせる命令と、
その線形スケーリング済装置非依存色空間内座標値に基づき上記入力装置の色プロファイルを求めさせる命令と、
を格納するコンピュータ用メモリ。
【手続補正２】
【補正対象書類名】明細書
【補正対象項目名】００５７
【補正方法】変更
【補正の内容】
【００５７】
そして、従来の手法と異なり、本手順５００では個別的線形補正関数を使用しているため、例えば２〜３ΔＥオーダの比較的小さな色の違いも、２０〜３０ΔＥオーダといった比較的大きな色の違いも、補正することができる。なお、以下に付記として本発明の構成の例を示す。
（付記１）
色見本部分露出度と非色見本部分露出度の関係を利用せず色見本画像のうちの色見本部分及びその推定照度に基づきプロファイリングを実行し、それによりディジタル画像入力装置の色プロファイルを求める方法。
（付記２）
付記１記載の方法であって、プロファイリングに当たり色見本部分における装置依存色空間内座標値を調べる方法。
（付記３）
付記２記載の方法であって、調べた装置依存色空間内座標値から上記推定照度を求める方法。
（付記４）
付記２記載の方法であって、プロファイリングに当たり、
スケーリング係数を用い色見本部分における装置非依存色空間内座標値を線形スケーリングし、
その線形スケーリング済装置非依存色空間内座標値に基づき上記入力装置の階調曲線を表す第１のパラメタを計算する方法。
（付記５）
付記４記載の方法であって、上記スケーリング係数として、色見本部分における真照度に対する上記推定照度の比率を用いる方法。
（付記６）
付記５記載の方法であって、上記推定照度が上記真照度よりも高いときに装置非依存色空間内座標値が線形的に増大するよう上記線形スケーリングを実行する方法。
（付記７）
付記５記載の方法であって、上記推定照度が上記真照度よりも低いときに装置非依存色空間内座標値が線形的に低減するよう上記線形スケーリングを実行する方法。
（付記８）
付記４記載の方法であって、プロファイリングに当たり、上記線形スケーリング済装置非依存色空間内座標値に基づき、色プロファイルのうちの色度を表す第２のパラメタを計算する方法。
（付記９）
付記１記載の方法であって、色見本部分に含まれる複数個の色パッチのうち最も明るいグレイパッチの照度を推定しその結果を上記推定照度として用いる方法。
（付記１０）
付記１記載の方法であって、上記画像が８ビット画像である方法。
（付記１１）
ディジタル画像入力装置の色プロファイルを求める方法であって、
複数個の色パッチを含む色見本画像を上記入力装置で捉えるステップと、
各色パッチの装置依存色空間内座標値を調べるステップと、
調べた装置依存色空間内座標値に基づき、色パッチの中で最も明るいグレイパッチの照度を推定するステップと、
得られた推定照度に基づき各色パッチの装置非依存色空間内座標値を線形スケーリングするステップと、
その線形スケーリング済装置非依存色空間内座標値又はそれからの派生量に基づき上記入力装置の色プロファイルを求めるステップと、
求めた色プロファイルをコンピュータ用メモリに格納するステップと、
を有する方法。
（付記１２）
付記１１記載の方法であって、画像における色見本部分露出度と非色見本部分露出度の関係を利用せずに色プロファイルを求める方法。
（付記１３）
付記１１記載の方法であって、各色パッチの装置非依存色空間内座標値に基づき色見本部分内のグレイパッチを識別するステップを有する方法。
（付記１４）
付記１３記載の方法であって、グレイパッチ識別に当たり、
各色パッチの装置非依存色空間内座標値を所定の上限グレイ値と比較し、
色パッチのうちその装置非依存色空間内座標値が上記上限グレイ値未満のグレイパッチを識別する方法。
（付記１５）
付記１４記載の方法であって、上記上限グレイ値が約５ΔＥである方法。
（付記１６）
付記１１記載の方法であって、各色パッチの装置非依存色空間内座標値に対する線形スケーリングを、色パッチの中で最も明るいグレイパッチについての真照度と上記推定照度との比を計算して決定したスケーリング係数に基づき、行う方法。
（付記１７）
付記１６記載の方法であって、上記最も明るいグレイパッチの装置非依存色空間内座標値に基づき上記真照度を求める方法。
（付記１８）
付記１１記載の方法であって、
上記入力装置の階調曲線を表す第１のパラメタを上記線形スケーリング済装置非依存色空間内座標値に基づき計算するステップと、
上記線形スケーリング済装置非依存色空間内座標値又はそれからの派生量を個別的線形補正関数を用い色別調整するステップと、
を有し、色別調整された装置非依存色空間内座標値若しくは派生量と第１のパラメタとを用いて上記入力装置の色プロフィルを求める方法。
（付記１９）
付記１８記載の方法であって、第１のパラメタを計算するに当たり、装置依存色空間内座標値推測用パラメタを用い且つその装置依存色空間内座標値に基づき、色見本部分に含まれる各グレイパッチの装置非依存色空間内座標推測値を求める方法。
（付記２０）
付記１９記載の方法であって、色見本部分に含まれる各グレイパッチ毎に、上記線形スケーリング済装置非依存色空間内座標値に対する装置非依存色空間内座標推測値の差が最小になるよう、上記装置依存色空間内座標値推測用パラメタを調整する方法。
（付記２１）
付記１９記載の方法であって、上記装置依存色空間内座標値推測用パラメタとして、何れも装置依存色空間の色軸別に与えられるブラックバイアスオフセット、線形スケーリング係数及びガンマを用いる方法。
（付記２２）
付記１９記載の方法であって、上記装置依存色空間内座標値推測用パラメタとして、何れも装置依存色空間の色軸別に与えられるブラックバイアスオフセット及び線形スケーリング係数、並びに当該装置依存色空間の各色軸に共通のガンマを用いる方法。
（付記２３）
付記１８記載の方法であって、装置依存色空間内の各色に係る個別的線形補正関数が、その装置依存色空間内座標値が境界値であるときに最大値となり、且つその装置依存色空間内座標値が他の境界値又は中立軸に接近するにつれ線形的に低減し０又はほぼ０に接近する関数である方法。
（付記２４）
付記１９記載の方法であって、上記線形スケーリング済装置非依存色空間内座標値に基づき色プロファイルのうちの色度を表す第２のパラメタを計算するステップを有し、上記入力装置の色プロファイルを求めるに当たり更にこの第２のパラメタも用いる方法。
（付記２５）
ディジタル画像入力装置の色プロファイルを求める方法であって、
複数個の色パッチを含む色見本画像を上記入力装置で捉えるステップと、
各色パッチの装置依存色空間内座標値を調べるステップと、
調べた装置依存色空間内座標値に基づき、色パッチの中で最も明るいグレイパッチの照度を推定するステップと、
得られた推定照度に基づき各色パッチの装置非依存色空間内座標値を線形スケーリングするステップと、
その線形スケーリング済装置非依存色空間内座標値に基づき、上記入力装置の階調曲線を表す第１のパラメタを計算するステップと、
上記線形スケーリング済装置非依存色空間内座標値に基づき、色プロファイルのうちの色度を表す第２のパラメタを計算するステップと、
上記線形スケーリング済装置非依存色空間内座標値又はそれからの派生量を個別的線形補正関数を用い色別に調整するステップと、
画像における色見本部分露出度と非色見本部分露出度の関係を利用せず、上記線形スケーリング及び色別調整を経た装置非依存色空間内座標値、上記第１のパラメタ並びに上記第２のパラメタに基づき上記入力装置の色プロファイルを求めるステップと、
求めた色プロファイルをコンピュータ用メモリに格納するステップと、
を有する方法。
（付記２６）
プログラマブルプロセッサに対する命令として、
複数個の色パッチを含む色見本画像をディジタル画像入力装置から受け取らせる命令と、
各色パッチの装置依存色空間内座標値を調べさせる命令と、
調べた装置依存色空間内座標値に基づき色パッチの中で最も明るいグレイパッチの照度を推定させる命令と、
得られた推定照度に基づき各色パッチの装置非依存色空間内座標値を線形スケーリングさせる命令と、
その線形スケーリング済装置非依存色空間内座標値に基づき上記入力装置の色プロファイルを求めさせる命令と、
を格納するコンピュータ用メモリ。